(57)【特許請求の範囲】
【請求項１】
第１の光通信素子を実装可能な第１素子実装部と、前記第１の光通信素子との光通信は可能であるが取付互換性のない第２の光通信素子を実装可能な第２素子実装部を設けた主基板と、
前記第１素子実装部と前記第２素子実装部を設けた副基板と、を備え、
前記主基板の前記第１素子実装部に対応する前記第１の光通信素子、および前記第２素子実装部に対応する前記第２の光通信素子のいずれを実装しても、前記副基板の前記第１素子実装部に対応する前記第１の光通信素子、および前記第２素子実装部に対応する前記第２の光通信素子のいずれを実装しても、前記主基板と副基板との間で光通信可能な範囲に透光穴を設けたことを特徴とする自動機。
【請求項２】
請求項１に記載の自動機において、
前記第１素子実装部および第２素子実装部に、対応する前記第１の光通信素子および第２の光通信素子を取付ける取付パターンを形成したことを特徴とする自動機。
【請求項３】
請求項１または請求項２に記載の自動機において、
前記主基板および副基板の少なくとも一方は、可動部材に設けられていることを特徴とする自動機。
【請求項４】
請求項１ないし請求項３のいずれか一項に記載の自動機において、
前記主基板および副基板に、それぞれ基板カバーを設けると共に、前記基板カバーの下方に開口部を設け、
前記第１素子実装部および第２素子実装部を、前記主基板および副基板のそれぞれの上部に配置したことを特徴とする自動機。
【請求項５】
請求項１ないし請求項４のいずれか一項に記載の自動機において、
前記主基板および副基板に、取付ネジを挿通させる長穴を設けたことを特徴とする自動機。
【発明の詳細な説明】
【技術分野】
【０００１】
本発明は、搭載されたユニット間の信号の送受を光通信により行う現金自動預払機や複写機等の自動機に関する。
【背景技術】
【０００２】
従来の自動機としての印字装置は、本体ケース側の基板と、開閉カバー側の基板に、それぞれ発光素子と受光素子を設け、それぞれの基板に設けた発光素子と受光素子とを１対１で対向配置すると共に、対向配置されたそれぞれの発光素子と受光素子との間にそれぞれ透光窓を設け、本体ケース側のメインＣＰＵと、開閉カバー側のサブＣＰＵとの間を、ぞれぞれの基板に設けた発光素子と受光素子を用いた光通信により交信している（例えば、特許文献１参照。）。
【先行技術文献】
【特許文献】
【０００３】
【特許文献１】特開平８−１３２７０７号公報（段落００１６−００１９、第１図）
【発明の概要】
【発明が解決しようとする課題】
【０００４】
しかしながら、上述した従来の技術においては、各基板に実装した光通信用の発光素子と受光素子からなる光通信素子は同一であるため、故障等により光通信素子を交換するときに、実装していた光通信素子が製造中止等により入手困難であり、かつ取付互換性がある他の光通信素子が存在しない場合は、現在の基板を破棄して両方の基板を製作し直すことが必要になり、保守に要する費用に無駄が発生すると共に、装置の速やかな復旧が困難になるという問題がある。
本発明は、上記の問題点を解決するためになされたもので、光通信素子の交換時に、装置の速やかな復旧を可能にする手段を提供することを目的とする。
【課題を解決するための手段】
【０００５】
本発明は、上記課題を解決するために、自動機が、第１の光通信素子を実装可能な第１素子実装部と、前記第１の光通信素子との光通信は可能であるが取付互換性のない第２の光通信素子を実装可能な第２素子実装部を設けた主基板と、前記第１素子実装部と前記第２素子実装部を設けた副基板と、を備え、前記主基板の前記第１素子実装部に対応する前記第１の光通信素子、および前記第２素子実装部に対応する前記第２の光通信素子のいずれを実装しても、前記副基板の前記第１素子実装部に対応する前記第１の光通信素子、および前記第２素子実装部に対応する前記第２の光通信素子のいずれを実装しても、前記主基板と副基板との間で光通信可能な範囲に透光穴を設けたことを特徴とする。
【発明の効果】
【０００６】
これにより、本発明は、故障した光通信素子に替えての第１および第２の光通信素子のいずれかを、対応する第１素子実装部および第２素子実装部に実装することができ、自動機の運用を速やかに再開させることができるという効果が得られる。
【図面の簡単な説明】
【０００７】
【図１】実施例１の現金自動預払機を示す説明図（ａ）は外観図、（ｂ）は正面図
【図２】実施例１の現金自動預払機のフロントカバーの開放状態を示す説明図
【図３】実施例１の光通信部を示す説明図
【図４】図３の矢印Ａ方向から見たシャッタ基板を示す説明図
【図５】実施例１の光通信部の通信可能範囲を示す説明図
【図６】実施例１の光通信部の作用を示す説明図
【図７】実施例２の光通信部のシャッタ基板を示す説明図
【図８】実施例２の光通信部を示す説明図
【発明を実施するための形態】
【０００８】
以下に、図面を参照して本発明による自動機の実施例について説明する。
【実施例１】
【０００９】
以下に、図１ないし図６を用いて本実施例の現金自動預払機について説明する。
本実施例の自動機としての現金自動預払機１は、銀行等の金融機関の支店やコンビニエンスストア等の店舗に設置され、金融機関のセンタに設置された図示しないホストコンピュータと接続しており、顧客との間での紙幣を用いた取引処理を自動で行う機能等を有している。
また、本実施例の現金自動預払機１は、図１、図２に示すように、装置本体１ａに開放可能に設けられたフロントカバー１ｂを備えている。
【００１０】
このような現金自動預払機１による取引処理は、現金自動預払機１全体を統括する図示しない装置制御部が、以下で説明する各部を制御して実行される。
操作表示部３は、現金自動預払機１の正面側に設けられ、ＬＣＤ等の表示画面とタッチパネル等の入力手段等を備えており、表示画面に取引選択画面や各種の入力画面等を表示する機能、入力手段により顧客による選択入力を受付ける機能等を有している。
【００１１】
入力部４は、テンキー等の入力キーを備えており、顧客による暗証番号や金額等の入力を受付ける機能等を有している。
カード取扱部５は、カード挿入口から挿入された顧客のキャッシュカードやクレジットカード等の取引カードの磁気ストライプやＩＣチップ等に記録されているカード情報を読み書きする機能、レシート用紙に取引内容等を印刷した明細票を発行する機能、取引を終了するときに取引カードや明細票をカード挿入口から排出して顧客に引渡す機能等を有している。
【００１２】
紙幣入出金部１０は、入金取引時等にフロントカバー１ｂに設けられた紙幣入出金口のシャッタ１０ａを開放して顧客が投入した紙幣を受入れ、これを図示しない鑑別部で鑑別および計数して収納庫に収納し、出金取引時等に収納庫から出金する紙幣を繰出し、これを鑑別および計数して紙幣入出金口に集積し、集積した紙幣を、シャッタ１０ａを開放して顧客に引渡す機能等を有している。
【００１３】
本実施例の紙幣入出金部１０は、紙幣の鑑別部や収納庫等が設けられた本体ユニット１１と、シャッタ１０ａを開閉するシャッタ開閉機構等が設けられたシャッタユニット１２からなり、本体ユニット１１は現金自動預払機１の装置本体側に固定され（図２参照）、シャッタユニット１２は、可動部材としてのフロントカバー１ｂに取付けられており（図１（ｂ）参照）、図２に示すフロントカバー１ｂの開放時には互いのユニットが分離するよう構成されている。
【００１４】
このため、本実施例では、ケーブル等の配線の簡素化のために、本体ユニット１１とシャッタユニット１２との間の制御信号等の通信は、本体ユニット１１に搭載された、主基板としての本体基板１１ａと、シャッタユニット１２に搭載された、副基板としてのシャッタ基板１２ａとで形成された光通信部１４より行うようになっている。
【００１５】
本実施例の光通信部１４を構成する本体基板１１ａとシャッタ基板１２ａには、それぞれ、赤外線を用いた光通信用の発信部１５ａと受信部１５ｂ等を備えた、第１の光通信素子としての光通信素子１５と、発信部１６ａと受信部１６ｂ等を備えた、第２の光通信素子としての光通信素子１６とを、同時に実装するための素子実装部１８が設けられている（図３参照）。
【００１６】
本実施例の光通信素子１５と光通信素子１６は、取付互換性はないが、相互の光通信は可能な異種の素子であって、同種の素子同士、つまり２つの光通信素子１５の互いの発信部１５ａと受信部１５ｂとを対向させ、２つの光通信素子１６の互いの発信部１６ａと受信部１６ｂとを対向させて（図４参照）、本体基板１１ａの素子実装部１８とシャッタ基板１２ａの素子実装部１８に実装される。
【００１７】
このため、素子実装部１８には、異種の光通信素子１５、１６を取付ける取付パターンが２つ形成され、それぞれの取付パターンは、異種同士の光通信が可能な範囲（図５参照）に形成されており、通常の運用時には、いずれか一方の同種の光通信素子１５等が、当該素子のパッド配置に適合する取付パターンに半田付け等によって取付られる。
【００１８】
本実施例のシャッタ基板１２ａには、図３に示すように、上記素子実装部１８に実装されたいずれかの光通信素子、例えば、光通信素子１５の他に（図１、図７参照）、メインコントローラ等からなる副制御部２１、メモリ等からなる副記憶部２２、制御ＩＣ等のプログラマブルＩＣ２３、シャッタ開閉機構を駆動するモータ２４、モータ２４の駆動電力等を供給するモータドライバ２５、前記各部品に電力を供給する電源部２６等が実装されている。
【００１９】
また、シャッタ基板１２ａ上で、強電の取扱時に発熱する電源部２６やモータドライバ２６は下方に配置され、高速信号の取扱時に発熱する副制御部２１、副記憶部２２、プログラマブルＩＣ２３は、主に、強電を取扱う電源部２６等と素子実装部１８との間に配置されており、これら各部品は本実施例の発熱体２８として機能する（図６参照）。
なお、図示は省略したが、本体基板１１ａには、同種の光通信素子１５、主制御部、主記憶部、プログラマブルＩＣ、電源部等が実装され、これら各部品も本実施例の発熱体２８として機能する。
【００２０】
このような、シャッタ基板１２ａは、図４に示すように、本体ユニット１１に設けられた基板カバー３１、シャッタユニット１２に設けられた基板カバー３２内に、それぞれの本体基板１１ａとシャッタ基板１２ａの４隅に形成された挿通穴３３に挿通させた取付ネジ３４（図３参照）を、基板カバー３１、３２に設けられた取付ブラケット３６に形成されたネジ穴に螺合させて固定される。本体基板１１ａの場合も同様である。
また、本体基板１１ａとシャッタ基板１２ａの取付状態においては、同種の光通信素子１５または１６同士が、基板カバー３１、３２に形成されたそれぞれの透光穴３７を介して対向配置される。
【００２１】
この基板カバー３１、３２のそれぞれに設けられた透光穴３７は、図５に１点鎖線、破線で示す、異種の素子同士の光通信が可能な範囲に貫通穴として形成される。
これにより、同種間、異種間のいずれの組合せであっても、２つの透光穴３７を介した光通信が可能になる。
また、それぞれの基板カバー３１、３２の下方（本実施例では底部）には、開口部３８が形成されている。
【００２２】
上記の構成の現金自動預払機１の取引処理の処理動作について、出金取引を例に説明する。
なお、以下の説明においては、紙幣入出金部１０の本体基板１１ａとシャッタ基板１２ａには、それぞれ同種の素子である光通信素子１５が実装されているとして説明する。
顧客が、出金取引を行うために、現金自動預払機１の操作表示部３に表示されている取引選択画面から出金取引を選択すると、これを操作表示部３の入力手段により受付けた現金自動預払機１の図示しない装置制御部は、操作表示部３に取引カードの挿入を促す画面を表示する。
【００２３】
顧客が、カード取扱部５のカード挿入口へ取引カードを挿入すると、これを検知した装置制御部は、挿入された取引カードに記録されているカード情報を読取り、操作表示部３に暗証番号の入力を促す画面を表示し、顧客は入力部４の入力キーによって暗証番号を入力する。
暗証番号の入力を受付けた装置制御部は、操作表示部３に出金金額の入力画面を表示し、顧客は、出金する金額を入力部４の入力キーによって入力する。
【００２４】
この出金金額の入力を受付けた装置制御部は、取引カードから読取ったカード情報と、入力された暗証番号、出金金額を図示しないホストコンピュータへ送信し、ホストコンピュータは、顧客認証や口座残高の更新を行って送信元の現金自動預払機１へ取引許可通知を送信する。
取引許可通知を受信した現金自動預払機１の装置制御部は、紙幣入出金部１０の本体ユニット１１の本体基板１１ａに設けられている図示しない主制御部へ、出金指令を送出する。
【００２５】
出金指令を受けた本体ユニット１１の主制御部は、出金金額に相当する紙幣を収納庫から繰出して鑑別部で鑑別、計数し、鑑別後の出金紙幣を紙幣入出金口に集積して待機させる。
顧客に支払うべき出金紙幣を集積した主制御部は、本体基板１１ａに実装された光通信素子１５の発信部１５ａから、シャッタユニット１２の光通信素子１５の受信部１５ｂに対してシャッタ開信号を出力すると共に、装置制御部へ紙幣集積終了通知を送出し、装置制御部は、操作表示部３に出金紙幣や取引カード等の受取を促す画面を表示する。
【００２６】
一方、本体ユニット１１の主制御部から出力されたシャッタ開信号を、シャッタ基板１２ａに実装された光通信素子１５の受信部１５ｂを介して受信した副制御部２１は、モータドライバ２５によって電源部２６からの駆動電力をモータ２４に供給し、シャッタユニット１２のシャッタ開閉機構を開作動させてフロントカバー１ｂに設けられているシャッタ１０ａを開放する。
【００２７】
顧客は、シャッタ１０ａが開放された紙幣入出金口から、そこに集積されている紙幣を取出すと共に、カード取扱部５のカード挿入口から排出された取引カード等を受取る。
シャッタ１０ａの開放後に、紙幣の取出しを待って待機していた副制御部２１は、顧客による紙幣の取出しを検知すると、シャッタ開閉機構を閉作動させてシャッタ１０ａを閉鎖し、シャッタ基板１２ａの光通信素子１５によって、紙幣取出確認信号を光通信により本体基板１１ａの光通信素子１５へ出力する。
【００２８】
このシャッタユニット１２の副制御部２１からの紙幣取出確認信号を、本体基板１１ａの光通信素子１５の受信部１５ｂを介して受信した主制御部は、装置制御部へ紙幣取出終了通知を送出し、装置制御部は、操作表示部３に謝辞等を表示した取引終了通知画面を表示し、所定の時間の経過後に今回の出金取引の取引処理を終了させる。
このようにして、本実施例の現金自動預払機１による取引処理の処理動作が実行される。
【００２９】
このような取引処理中に、本実施例の本体基板１１ａおよびシャッタ基板１２ａに実装された各部品は発熱するが、本実施例の主な発熱体２８となる強電系を扱う電源部２６やモータドライバ２６は下方に配置され、また本体基板１１ａおよびシャッタ基板１２ａをそれぞれ内蔵する基板カバー３１、３２には、その素子実装部１８に対応する位置に透光穴３７が形成され、それぞれの下方に開口部３８が形成されているので、図６に示すように、発熱体２８の発熱により基板カバー３１、３２内の温度が外気温に比べて高温になったときに、基板カバー３１、３２内で開口部３８から吸い込まれた空気が、透光穴３７から排出される上昇気流が発生する。
【００３０】
このとき、本実施例の光通信素子１５または１６を実装する素子実装部１８は、本体基板１１ａおよびシャッタ基板１２ａのそれぞれの上部に配置され、開口部３８から最も遠い位置に配置されているので、下方に設けた開口部３８から空気と共に吸い込んだ塵埃が、上部に配置された光通信素子１５または１６に運ばれ難くなり、光通信素子１５等への塵埃の付着を軽減して良好な光通信を長期間継続することが可能になる。
【００３１】
また、取引処理中または保守点検時に、本体基板１１ａとシャッタ基板１２ａとの間の光通信に不具合が発見され、保守員がフロントカバー１ｂを開放して、本体基板１１ａおよびシャッタ基板１２ａの光通信素子１５を点検したときに、２つの光通信素子１５の一方または両方に故障が発見された場合、保守員は故障した光通信素子１５の交換作業を行う。
【００３２】
例えば、本体基板１１ａの光通信素子１５が故障し、シャッタ基板１２ａの光通信素子１５が正常な場合、保守員は予備部品から交換用の新たな光通信素子１５を用意し、故障した光通信素子１５を本体基板１１ａの素子実装部１８から取外し、その取付パターンに新たな光通信素子１５を実装する。
【００３３】
このとき、光通信素子１５の製造中止等の理由によって、予備部品に新たな光通信素子１５が存在しない場合、保守員は、取付互換性はないが、相互の光通信は可能な異種の素子である光通信素子１６を用意し、故障した光通信素子１５を本体基板１１ａの素子実装部１８から取外し、当該素子実装部１８の光通信素子１６用の取付パターンにチップ抵抗を切替えて実装する。
【００３４】
このようにしても、本実施例の素子実装部１８には、２つの光通信素子１５、１６のそれぞれの取付パターンが形成されており、図５に示すように、異種の素子である光通信素子１５と光通信素子１６との間の２つの透光穴３７を介した光通信が可能な位置に配置されているので、相互の光通信に支障が生ずることはない。
【００３５】
シャッタ基板１２ａの光通信素子１５が故障していた場合、両方の光通信素子１５が故障していた場合も同様である。
これにより、本実施例の現金自動預払機１は、不具合発生後の短時間の内に、現金自動預払機１の機能を回復させることが可能になり、迅速に現金自動預払機１の運用を再開させて、その運用効率を向上させることができる。
【００３６】
以上説明したように、本実施例では、取付互換性のない異種の光通信素子１５、１６を同時に実装することが可能な素子実装部１８を設け、素子実装部１８にいずれの光通信素子１５または１６を実装しても通信可能な範囲に透光穴３７を形成したので、故障等により、実装していた光通信素子の交換が必要になったときに、当該光通信素子が入手困難であったとしても、故障した光通信素子に替えて取付互換性のない異種の素子である光通信素子１５および１６のいずれかを素子実装部１８に実装して、速やかに現金自動預払機１の運用を再開することができると共に、基板の破棄や両基板の再製作等を不要にして、保守に要する費用の無駄を排除することができる。
【００３７】
また、本実施例では、光通信素子１５または１６を実装する素子実装部１８を、本体基板１１ａおよびシャッタ基板１２ａのそれぞれの上部に配置し、主な発熱体２８となる電源部２６等を下方に配置し、基板カバー３１、３２の上方に透光穴３７、下方に開口部３８を形成したので、基板カバー３１、３２内の温度が外気温に比べて高温になったときに、基板カバー３１、３２内に開口部３８から透光穴３７に向かう上昇気流を発生させることができ、下方に設けた開口部３８から吸い込んだ塵埃が、上部に配置した光通信素子１５または１６に運ばれ難くなり、光通信素子１５等への塵埃の付着を軽減して良好な光通信を長期間継続することができる。
【実施例２】
【００３８】
以下に、図７および図８を用いて本実施例の光通信部について説明する。なお上記実施例１と同様の部分は、同一の符号を付してその説明を省略する。
本実施例のシャッタ基板１２ａの４隅には、図７に示すように、上記実施例１の挿通穴３３に替えて、矩形の長手方向の両端部を半円弧状に形成した長穴４１が、長手方向を上下方向にして形成され、本体基板１１ａの４隅にも、同様の長穴４１が形成されている（図８参照）。
【００３９】
この長穴４１は、シャッタ基板１２ａ等の取付位置の調整用として用いられ、本体基板１１ａとシャッタ基板１２ａは、それらの４隅に形成された長穴４１に挿通させた取付ネジ３４（図７参照）を、基板カバー３１、３２に設けられた取付ブラケット３６のネジ穴に螺合させて固定される。
【００４０】
これにより、本実施例では、光通信素子１５または１６の交換時に、本体基板１１ａに光通信素子１６を実装し、シャッタ基板１２ａに異種の素子である光通信素子１５を実装したときに、製造公差や保守時の取付誤差、振動等によって、それぞれの光通信素子１５、１６の実装位置にズレが生じて、光通信による通信が不安定になったとしても、一方または両方の取付ネジ３４を緩めて、本体基板１１ａおよび／もしくはシャッタ基板１２ａを移動させて、図８に示すように、異種同士の光通信素子１５および光通信素子１６を互いの通信可能範囲内に移動させて対向させることが可能になり、異種同士の光通信による信号の送受を安定なものとすることができる。
【００４１】
以上説明したように、本実施例では、上記実施例１と同様の効果に加えて、本体基板１１ａとシャッタ基板１２ａに取付ネジ３４を挿通させる長穴４１を設けたので、異種の光通信素子をそれぞれの素子実装部１８に実装しても、互いに通信可能範囲内に実装位置を移動させて異種同士の光通信を安定なものとすることができる。
【００４２】
なお、上記各実施例においては、紙幣入出金部１０の本体ユニット１１を装置本体１ａに固定し、シャッタユニット１２を可動部材であるフロントカバー１ｂに取付けて、これらの間を光通信により接続するとして説明したが、例えば、本体ユニット１１を装置本体１ａに着脱可能に構成して、２つの可動部材間を、光通信により接続するようにしてもよう。要は、装置の運用状態において、互いの通信が可能な位置にそれぞれの基板１１ａ、１１ｂを配置するようにすれば、配線の簡素化を図ることが可能になる。
【００４３】
また、上記各実施例においては、本体基板１１ａおよびシャッタ基板１２のそれぞれの上方に素子実装部１８を配置するとして説明したが、現金自動預払機１を運用する環境が清浄であれば、各基板の一方を天地を逆にして取付けても、両方を逆にしてそれぞれの素子実装部１８を下方に配置するようにしてもよい。
更に、上記各実施例においては、本体基板１１ａおよびシャッタ基板１２のそれぞれの４隅に長穴４１を設けるとして説明したが、長穴４１を設ける位置は前記に限らず、中央部や側辺部等であってもよい。要は、各基板を基板カバーに調整可能に固定できる位置であればどのような位置であってもよい。
【００４４】
更に、上記各実施例においては、現金自動預払機は紙幣入出金部１０を備えた自動機であるとして説明したが、硬貨入出金部を更に備えるようにし、硬貨入出金部の本体ユニットとシャッタユニットとの間を光通信により接続するようにしてもよく、保守等のために着脱可能に搭載された機器、例えば通帳取扱部の制御部と装置制御部との間を光通信により接続するようにしてもよい。
更に、上記各実施例においては、自動機は、現金自動預払機であるとして説明したが、自動機は、現金処理機や複写機等であってもよい。要は、電子部品を含む光通信を使用する機器に本発明を適用すれば、上記と同様の効果を得ることができる。
【符号の説明】
【００４５】
１    現金自動預払機
２ａ  装置本体
２ｂ  フロントカバー
３    操作表示部
４    入力部
５    カード取扱部
１０  紙幣入出金部
１０ａ  シャッタ
１１  本体ユニット
１１ａ  本体基板
１２  シャッタユニット
１２ａ  シャッタ基板
１４  光通信部
１５、１６  光通信素子
１５ａ、１６ａ  発信部
１５ｂ  １６ｂ  受信部
１８  素子実装部
２１  副制御部
２２  副記憶部
２３  プログラマブルＩＣ
２４  モータ
２５  モータドライバ
２６  電源部
２８  発熱体
３１、３２  基板カバー
３３  挿通穴
３４  取付ネジ
３６  取付ブラケット
３７  透光穴
３８  開口部
４１  長穴
【図１】
0006631187.tif 000002
【図２】
0006631187.tif 000003
【図３】
0006631187.tif 000004
【図４】
0006631187.tif 000005
【図５】
0006631187.tif 000006
【図６】
0006631187.tif 000007
【図７】
0006631187.tif 000008
【図８】
0006631187.tif 000009